(57)【要約】【課題】レンズ鏡筒内への水の浸入を防止し、レンズ鏡筒の小型化を図る。【解決手段】ねじ溝２３ａを有する固定部材２３と、レンズ５’を保持するレンズ保持鏡筒２１と、ねじ溝２３ａと係合するねじ溝２４ａを有する押さえ部材２４と、レンズ保持鏡筒２１との隙間を封止する防水シート部材２５とを備え、押さえ部材２４のねじ溝２４ａをねじ溝２３ａに螺合して、弾性フランジ部２４ｃを弾性変形させながら、防水シート部材２５をレンズ保持鏡筒２１のかしめ部２１ａに押し付ける。これにより防水シート部材２５のシート基部がかしめ部２１ａ間に押圧され、かしめ部２１ａと押さえ部材２４の隙間からの水Ｗの浸入を防止することができる。【選択図】図７
2008203287.tif 000002
【特許請求の範囲】
【請求項１】
レンズを保持するレンズ保持鏡筒と、該レンズ保持鏡筒に固定しねじ部を有する固定部材と、該固定部材のねじ部と螺合するねじ部を有する円環状の押さえ部材と、該押さえ部材と前記レンズ保持鏡筒との隙間を封止する円環状の防水シート部材とを有するレンズ鏡筒において、前記押さえ部材は、前記ねじ部を有する基部と弾性変形が可能な弾性フランジ部と前記防水シート部材の貼付部とを有し、前記防水シート部材を前記貼付部に貼り付けてから前記押さえ部材を前記固定部材にねじ込むことにより、前記弾性フランジ部を弾性変形させながら前記防水シート部材を前記レンズ保持鏡筒に押圧することを特徴とするレンズ鏡筒。
【請求項２】
前記押さえ部材を前記固定部材にねじ込んでゆくときに、前記押さえ部材が前記固定部材に当接する前に、前記防水シート部材が前記レンズ保持鏡筒に当接すること特徴する請求項１に記載のレンズ鏡筒。
【請求項３】
前記防水シート部材は低摩擦性材料であることを特徴とする請求項１又は２に記載のレンズ鏡筒。
【発明の詳細な説明】
【技術分野】
【０００１】
本発明は、カメラなどの撮影光学機器における防滴構造を有するレンズ鏡筒に関するものである。
【背景技術】
【０００２】
従来からカメラなどの撮影光学機器において、防滴性能を向上させる構造が種々提案されている。例えば特許文献１のように、隙間部にシーリング部材を配置すると共に、レンズを保持する鏡筒に通気孔を設けて撥水性微多孔部材を付することで、防滴性と通気性を両立させる構造が開示されている。
【０００３】
また、別の提案として、特許文献２のように発泡シーリング材により防滴性を確保し、移動筒の周壁部の通気孔と撥水性微多孔部材を設けることで、通気性を確保する構造が開示されている。
【０００４】
【特許文献１】特開２００３−２０２４８０号公報
【特許文献２】特開２００４−９３６１２号公報
【発明の開示】
【発明が解決しようとする課題】
【０００５】
ところが、特許文献１、２の技術手段では、防滴性を確保する上で次のような問題がある。即ち、特許文献１では水の浸入を防止するために、レンズ保持枠と外観部材とで挟み込んだシーリング部材を、前側固定筒に装着させて、外部からの水の浸入を防止している。
【０００６】
また、特許文献２では、水の浸入を防止するために、レンズ保持枠にねじ結合する化粧環に取り付けた発泡シーリング材を、フィルタ枠に装着させることで、外部からの水の浸入を防止している。
【０００７】
何れの場合も、シーリング部材や発泡シーリング材などを用いて、水の浸入経路を封止する構造が採られている。この場合の問題点として、シーリング部材や発泡シーリング材の搭載空間を確保するために、光軸方向や径方向に製品の外形形状を拡張する必要があり、製品が大型化してしまうことが大きな問題である。
【０００８】
本発明の目的は、上述の問題点を解決し、製品が大型化することなく、防滴性を確保し得るレンズ鏡筒を提供することにある。
【課題を解決するための手段】
【０００９】
上記目的を達成するために本発明に係るレンズ鏡筒の技術的特徴は、レンズを保持するレンズ保持鏡筒と、該レンズ保持鏡筒に固定しねじ部を有する固定部材と、該固定部材のねじ部と螺合するねじ部を有する円環状の押さえ部材と、該押さえ部材と前記レンズ保持鏡筒との隙間を封止する円環状の防水シート部材とを有するレンズ鏡筒において、前記押さえ部材は、前記ねじ部を有する基部と弾性変形可能な弾性フランジ部と前記防水シート部材の貼付部とを有し、前記防水シート部材を前記貼付部に貼り付けてから前記押さえ部材を前記固定部材にねじ込むことにより、前記弾性フランジ部を弾性変形させながら前記防水シート部材を前記レンズ保持鏡筒に押圧することにある。
【発明の効果】
【００１０】
本発明に係るレンズ鏡筒によれば、製品の外形形状を大きくすることなく、内部への水の浸入を防止できる。
【発明を実施するための最良の形態】
【００１１】
本発明を図示の実施例に基づいて詳細に説明する。
【実施例１】
【００１２】
図１は本実施例の構成を示す交換レンズ１及びデジタル一眼レフカメラ本体２から成るレンズ鏡筒部の概略図である。交換レンズ１はレンズ側マウント３とカメラ側マウント４を用いて、カメラ本体２にバイヨネット機構により結合されている。交換レンズ１の内部には、光軸Ｏに沿ってレンズ群５が搭載されており、カメラ本体２の撮像素子６により、被写体を撮影するようになっている。
【００１３】
交換レンズ１及びカメラ本体２は共に防滴性を有し、雨や水が外形部にかけられても、交換レンズ１の内部やカメラ本体２の内部に水が浸入しないようになっている。レンズ側マウント３の近傍には、環状の防水ゴム７が取り付けられており、カメラ本体２にこの防水ゴム７を設けることで、マウント結合部からの水の浸入を防止している。
【００１４】
また、交換レンズ１に設けられたフォーカス操作環８とズーム操作環９には、内径側に配置した合成繊維から成る防水シート部材１０により、それぞれ外形の隙間部１１から水が内部に入り込むことを防止している。
【００１５】
図２は交換レンズ１の被写体側先端部の防滴構造の断面図である。レンズ群５のうち最も被写体側にあるレンズ５’はレンズ保持鏡筒２１に保持されており、レンズ保持鏡筒２１は案内筒２２に図示しないビスにより固定されている。案内筒２２の外径側には、固定部材２３が案内筒２２にビスで固定されている。固定部材２３の先端側内径部には、ねじ溝２３ａが設けられており、このねじ溝２３ａに合成樹脂製の円環状の押さえ部材２４が螺合され、押さえ部材２４の内側には円環状の防水シート部材２５が貼り付けられている。ねじ溝２３ａはその他に、交換レンズ１用のアクセサリであるＮＤフィルタや円偏光フィルタなどの螺合に使用される。
【００１６】
図３は押さえ部材２４の拡大断面図を示し、固定部材２３のねじ溝２３ａと係合するねじ溝２４ａ、基部２４ｂ、弾性変形可能な弾性フランジ部２４ｃ、防水シート部材２５を貼付する貼付部２４ｄ、更に固定端２４ｅが設けられている。
【００１７】
また、図４は防水シート部材２５の拡大断面図を示し、この防水シート部材２５はシート基部２５ａと押さえ部材２４の貼付部２４ｄに貼付する粘着材２５ｂとの層構成とされている。シート基部２５ａは例えば超高分子量ポリエチレンフィルムにより形成されており、裏面の粘着材２５ｂにはアクリル系の粘着材が用いられている。
【００１８】
図５は防水シート部材２５を貼付した押さえ部材２４をねじ溝２３ａに螺合して固定部材２３に取り付ける前の状態の断面図を示している。この状態で、距離Ｌ１は防水シート部材２５のシート基部２５ａからレンズ保持鏡筒２１のかしめ部２１ａまでの距離であり、距離Ｌ２は押さえ部材２４の固定端２４ｅから固定部材２３のストッパ２３ｂとの距離である。
【００１９】
距離Ｌ１と距離Ｌ２とはＬ２＞Ｌ１の関係にあり、押さえ部材２４をねじ溝２３ａに螺合して回転させてゆくと、最初に防水シート部材２５のシート基部２５ａがレンズ保持鏡筒２１のかしめ部２１ａに突き当たり当接するようにされている。
【００２０】
図６はこの突き当たった状態を示し、この状態では押さえ部材２４のねじ溝２４ａは、まだ距離Ｌ３だけねじ込むことが可能である。しかし、内径側は防水シート部材２５のシート基部２５ａが保持鏡筒２１のかしめ部２１ａに突き当たった状態である。
【００２１】
そして、更にねじ込んでゆくと、図７に示すような取付状態となり、押さえ部材２４の弾性フランジ部２４ｃが適度に弾性変形して押圧することで、シート基部２５ａがかしめ部２１ａ間に装着される。その結果、レンズ保持鏡筒２１のかしめ部２１ａと押さえ部材２４の隙間が封止され、水Ｗの浸入を防止することができる。
【００２２】
また、固定部材２３と押さえ部材２４との間のねじ溝２３ａの隙間も、ねじ溝２４ａにより埋め込まれることになるので、この部分からの水Ｗの浸入も防止することが可能となる。
【００２３】
図７に示す距離Ｌ４（Ｌ４＞０）は、押さえ部材２４の弾性フランジ部２４ｃが変形した後の隙間量を表しており、常に隙間が残されていることを示している。押さえ部材２４は樹脂材料から成るので、更に防水シート部材２５に装着力をその弾性変形領域で発生させるようにしている。
【００２４】
図８は防水シート部材２５として、一般的に摩擦係数が大きいゴムシート３１（動摩擦係数＞１、静摩擦係数＞１）のような部材を用いた場合に、ゴムシート３１が捩れたときの状態を示している。このようなゴムシート３１を用いても、水の浸入を防ぐことが可能ではあるが、ゴム材は摩擦係数が大きいため、押さえ部材２４を搭載してねじ込む時に、捩れなどが生じて極めて作業性が悪いことになる。従って、取り付けの作業性を考慮して、低摩擦係数の防水シート部材を用いることが望ましい。
【００２５】
なお、この防水シート部材２５のシート基部２５ａに用いた超高分子量ポリエチレンフィルムは低摩擦性材料であり、その静摩擦係数は約０．２５、動摩擦係数は０．１５程度と極めて低い値である。
【００２６】
シート基部２５ａには、実施例の超高分子量ポリエチレンフィルムの他に、ポリテトラフルオロエチレン性のシート（摩擦係数＜０．３）などの低摩擦で摺動性の優れた材料を使用することが望ましい。更に、強度が強く撥水性があるものであれば、なお好適である。
【００２７】
このように、防水シート部材２５はＯリングやゴムシートなどを用いる手法に比べて、低摩擦であるため、搭載時の作業性が格段に改善されている。また、搭載空間も僅かな領域で済むため、交換レンズの小型化が図れる。
【図面の簡単な説明】
【００２８】
【図１】レンズ鏡筒の概略図である。
【図２】交換レンズの先端部の断面図である。
【図３】押さえ部材の拡大断面図である。
【図４】防水シート部材の拡大断面図である。
【図５】押さえ部材をねじ込む前の断面図である。
【図６】押さえ部材をねじ込んだ時の断面図である。
【図７】押さえ部材を変形させた時の断面図である。
【図８】防水シート部材にゴムシートを用いた状態の説明図である。
【符号の説明】
【００２９】
５  レンズ群
２１  レンズ保持鏡筒
２２  案内筒
２３  固定部材
２３ａ  固定部材のねじ溝
２３ｂ  ストッパ
２４  押さえ部材
２４ａ  ねじ溝
２４ｂ  基部
２４ｃ  弾性フランジ部
２４ｄ  貼付部
２５  防水シート部材
【図１】
2008203287.tif 000003
【図２】
2008203287.tif 000004
【図３】
2008203287.tif 000005
【図４】
2008203287.tif 000006
【図５】
2008203287.tif 000007
【図６】
2008203287.tif 000008
【図７】
2008203287.tif 000009
【図８】
2008203287.tif 000010